(57)【要約】【課題】組み立て作業が容易となる装飾体を提供する。【解決手段】本考案の装飾体１は、前側支持体１０と、前側支持体１０に重ねて配置される枠体３０と、枠体３０に重ねて配置される後側支持体５０とを有する。また、装飾体１は、前側支持体１０、枠体３０、および枠体３０を貫通して配置される係止板９３と、係止板９３の両端に設けられ前側支持体１０、枠体３０、および枠体３０を挟む前側留板９１および後側留板９５とを有する。【選択図】図２
0003228751.tif 000002
【実用新案登録請求の範囲】
【請求項１】
第１板状部材と、
前記第１板状部材に重ねて配置される枠状の部材である枠部材と、
前記枠部材を挟んで前記第１板状部材と対向する位置で当該枠部材に重ねて配置される第２板状部材と、
前記第１板状部材、前記枠部材、および前記第２板状部材を貫通して配置される貫通部材と、
前記貫通部材の両端に設けられ、前記第１板状部材、前記枠部材、および前記第２板状部材を挟む挟み部材と
を有する装飾体。
【請求項２】
前記第１板状部材、前記枠部材、および前記第２板状部材を挟み自立可能に支持する支持体を有する請求項１記載の装飾体。
【請求項３】
前記挟み部材は、前記第１板状部材を押さえる第１挟み部材と、前記第２板状部材を押さえる第２挟み部材とを有し、
前記第１板状部材および前記第１挟み部材は、各々の板面に装飾が施されている請求項１または２記載の装飾体。
【請求項４】
前記貫通部材および前記第２挟み部材は、表面側から裏面側が視認可能な部材であり、装飾が施されていない
請求項３記載の装飾体。
【請求項５】
前記貫通部材は、一端に設けられる第１突起と、他端に設けられる第２突起とを有し、
前記第１挟み部材は、板状部材であり、板面に前記貫通部材の前記第１突起が挿入される第１貫通孔が形成され、
前記第２挟み部材は、板状部材であり、板面に前記貫通部材の前記第２突起が挿入される第２貫通孔が形成される
請求項３または４記載の装飾体。
【請求項６】
前記貫通部材は、板面が略長方形の板状部材であり、
前記第１板状部材、前記枠部材、および前記第２板状部材は、各々の板面が略長方形であり、当該各々の板面の隅部に前記貫通部材を貫通させる略長方形の貫通孔が形成されている請求項１乃至５のいずれか１項記載の装飾体。
【請求項７】
第１板状部材と、当該第１板状部材に重ねて配置される枠状の部材である枠部材と、当該枠部材を挟んで当該第１板状部材と対向する位置で当該枠部材に重ねて配置される第２板状部材とを留める留め具であって、
前記第１板状部材、前記枠部材、および前記第２板状部材を貫通して配置される貫通部材と、
前記貫通部材の両端に設けられ、前記第１板状部材、前記枠部材、および前記第２板状部材を挟む挟み部材と
を有する留め具。
【考案の詳細な説明】
【技術分野】
【０００１】
本考案は、装飾体および留め具に関する。
【背景技術】
【０００２】
特許文献１には、透明な合成樹脂製キーホルダー主体の背面に写真やワッペン等の表示紙片を収納する矩形状の凹所を形成してこの凹所内に蓋片を着脱自在に嵌合させてなるキーホルダーにおいて、蓋片の上端両側部に突子を突設する一方、凹所の開口縁部の上端両側部に突子を着脱自在に嵌合させる切欠段部を形成すると共に凹所の開口縁部の下端両側部に蓋片の突子を斜め方向に挿入させて蓋片をキーホルダー主体の起立用脚片とするための傾斜溝を設けることが開示されている。
【先行技術文献】
【特許文献】
【０００３】
【特許文献１】特開平１０−２３４５５８号公報
【考案の概要】
【考案が解決しようとする課題】
【０００４】
ところで、複数の板状部材を重ねた装飾体を組み立てる際に、例えば板状部材を重ね合わせた状態で保持しながら組み立てることが必要な場合など、作業が困難となることがあった。
【０００５】
そこで、本考案では、組み立て作業が容易となる装飾体を提供することを目的とする。
【課題を解決するための手段】
【０００６】
かかる目的のもと、本明細書に開示される技術は、第１板状部材と、前記第１板状部材に重ねて配置される枠状の部材である枠部材と、前記枠部材を挟んで前記第１板状部材と対向する位置で当該枠部材に重ねて配置される第２板状部材と、前記第１板状部材、前記枠部材、および前記第２板状部材を貫通して配置される貫通部材と、前記貫通部材の両端に設けられ、前記第１板状部材、前記枠部材、および前記第２板状部材を挟む挟み部材とを有する装飾体である。
ここで、前記第１板状部材、前記枠部材、および前記第２板状部材を挟み自立可能に支持する支持体を有するとよい。
また、前記挟み部材は、前記第１板状部材を押さえる第１挟み部材と、前記第２板状部材を押さえる第２挟み部材とを有し、前記第１板状部材および前記第１挟み部材は、各々の板面に装飾が施されているとよい。
また、前記貫通部材および前記第２挟み部材は、表面側から裏面側が視認可能な部材であり、装飾が施されていないとよい。
また、前記貫通部材は、一端に設けられる第１突起と、他端に設けられる第２突起とを有し、前記第１挟み部材は、板状部材であり、板面に前記貫通部材の前記第１突起が挿入される第１貫通孔が形成され、前記第２挟み部材は、板状部材であり、板面に前記貫通部材の前記第２突起が挿入される第２貫通孔が形成されるとよい。
また、前記貫通部材は、板面が略長方形の板状部材であり、前記第１板状部材、前記枠部材、および前記第２板状部材は、各々の板面が略長方形であり、当該各々の板面の隅部に前記貫通部材を貫通させる略長方形の貫通孔が形成されているとよい。
【０００７】
他の観点から捉えると、本明細書に開示される技術は、第１板状部材と、当該第１板状部材に重ねて配置される枠状の部材である枠部材と、当該枠部材を挟んで当該第１板状部材と対向する位置で当該枠部材に重ねて配置される第２板状部材とを留める留め具であって、前記第１板状部材、前記枠部材、および前記第２板状部材を貫通して配置される貫通部材と、前記貫通部材の両端に設けられ、前記第１板状部材、前記枠部材、および前記第２板状部材を挟む挟み部材とを有する留め具である。
【考案の効果】
【０００８】
本考案によれば、組み立て作業が容易となる装飾体が提供される。
【図面の簡単な説明】
【０００９】
【図１】本実施の形態が適用される装飾体の概略構成図である。
【図２】装飾体の分解斜視図である。
【図３】装飾体の組立方法の説明図である。
【図４】留め具による固定の説明図である。
【図５】変形例における留め具の概略構成図である。
【考案を実施するための形態】
【００１０】
以下、添付図面を参照して、本考案の実施の形態について説明する。
＜装飾体１の概略構成＞
図１は、本実施の形態が適用される装飾体１の概略構成図である。
図１に示すように、装飾体１は、自立可能であり、内部にアクリルグッズなどの装飾物を収容することが可能である。すなわち、装飾体１は、アクリルグッズを飾るための装置として機能する。
【００１１】
以下の説明においては、図１における上下方向を単に上下方向といい、図１における下側を単に下側といい、図１における上側を単に上側ということがある。また、装飾体１の幅方向を単に幅方向といい、幅方向に沿う向きで図１における紙面手前側を単に一方側といい、幅方向に沿う向きで図１における紙面奥側を単に他方側ということがある。また、上下方向および幅方向と交差する方向を単に奥行向といい、奥行方向に沿う向きで図１における紙面手前側を単に前側といい、奥行方向に沿う向きで図１における紙面奥側を単に後側ということがある。
【００１２】
＜装飾体１の詳細構成＞
図２は、装飾体１の分解斜視図である。
次に、図２を参照しながら、装飾体１の詳細構成を説明する。
【００１３】
装飾体１は、前側支持体１０と、枠体３０と、後側支持体５０と、底部支持体７０と、装飾材８０と、留め具９０とを有する。装飾体１を構成するこれらの部材は、アクリルなどの樹脂により、略同一の厚さで形成される。また、これらの部材は、透明な材質で構成されている。ここでの透明とは、表面側からみて裏面側が視認可能となる程度に透明であればよく、完全に透明、つまり、可視光透過率が１００％であるものに限定されない。
【００１４】
前側支持体１０は、平面視略長方形状の板状の部材である。前側支持体１０は、下側端部から下側に向けて突出する前側突起１０１を有する。また、前側支持体１０は、上側かつ一方側の隅部に前側貫通孔１０３を有する。前側支持体１０の板面中央１０５は、装飾画像が印刷されておらず透明である。また、前側支持体１０の板面外周１０７は、ＵＶインクジェット印刷やシルクスクリーン印刷などの周知の技術により装飾画像が印刷されている。そして、板面外周１０７の装飾画像が印刷された領域に、前側貫通孔１０３が形成されている。なお、前側貫通孔１０３は、平面視略長方形である。
【００１５】
枠体３０は、長方形の四辺を囲う枠状の部材である。枠体３０は、下側端部から下側に向けて突出する枠体突起３０１を有する。また、枠体３０は、上側かつ一方側の隅部に枠体貫通孔３０３を有する。枠体３０は、装飾画像が印刷されておらず透明である。なお、枠体貫通孔３０３は、平面視略長方形であり、前側貫通孔１０３と略同一の寸法である。
【００１６】
後側支持体５０は、平面視略長方形状の板状の部材である。後側支持体５０は、下側端部から下側に突出する後側突起５０１を有する。また、後側支持体５０は、上側かつ一方側の隅部に後側貫通孔５０３を有する。後側支持体５０の板面中央５０５は、装飾画像が印刷されている。後側支持体５０の板面外周５０７は、装飾画像が印刷されておらず透明である。そして、板面中央５０５の装飾画像が印刷された領域に、後側貫通孔５０３が形成されている。なお、後側貫通孔５０３は、平面視略長方形であり、前側貫通孔１０３および枠体貫通孔３０３と略同一の寸法である。
【００１７】
底部支持体７０は、平面視楕円状の板状部材である。底部支持体７０は、板面中央に底部貫通孔７０１を有する。底部貫通孔７０１は平面視略長方形である。ここで、図２（ｂ）に示すように、底部支持体７０は、底部貫通孔７０１の長手方向両端から各々底部貫通孔７０１の中心に向けて突出する第１突起７０３および第２突起７０５を有する。さらに説明をすると、底部貫通孔７０１は、幅方向の長さが長い第１領域７１１と、第１領域７１１の後側に位置し第１領域７１１よりも幅方向の長さが短い第２領域７３１と、第２領域７３１の後側に位置し第２領域７３１よりも幅方向の長さが長い第３領域７５１とを有する。
【００１８】
装飾材８０は、複数の装飾板８１からなる。各装飾板８１は、卵形、星型、花形、キャラクタなどの形状であり、板面に装飾画像が印刷されるなど、造形が施された部材である。
【００１９】
留め具９０は、前側支持体１０、枠体３０、および後側支持体５０を３層重ねた組立体６０を留める部材である。留め具９０は、前側留板９１と、係止板９３と、後側留板９５とを有する。前側留板９１は、板状部材であり、板面に前側係止孔９１３を有する。前側留板９１は、板面に装飾画像が印刷されている。係止板９３は、略長方形状の板状部材である。係止板９３は、装飾画像が印刷されておらず透明である。後側留板９５は、略円盤状の部材である。後側留板９５は、板面中央に後側係止孔９５３を有する。後側留板９５は、装飾画像が印刷されておらず透明である。
【００２０】
ここで、図２（ｃ）に示すように、係止板９３は、平面視略長方形の本体部９３０と、本体部９３０の前側端部から前側に突出した前側爪９３１と、本体部９３０の後側端部から後側に突出した後側爪９３３とを有する。本体部９３０は、前側貫通孔１０３、枠体貫通孔３０３、および後側貫通孔５０３に挿入可能な寸法である。また、前側爪９３１は、前側係止孔９１３に挿入可能な寸法である。また、後側爪９３３は、後側係止孔９５３に挿入可能な寸法である。
【００２１】
装飾体１は、前側支持体１０と、枠体３０と、後側支持体５０と、底部支持体７０と、装飾材８０と、留め具９０とを１組として販売され、購入者となるユーザが自身で組み立てることが可能である。このとき、前側支持体１０および後側支持体５０の間に枠体３０を挟んだ状態で、留め具９０が固定することにより、前側支持体１０、枠体３０、および後側支持体５０内部に装飾材８０などが収容される空間が形成される。
【００２２】
＜装飾体１の組立方法＞
図３は、装飾体１の組立方法の説明図である。
次に、図２および図３を参照しながら、装飾体１の組立方法について説明をする。
【００２３】
まず、図３（ａ）に示すように、前側留板９１に対して係止板９３を固定する。具体的には、係止板９３の前側爪９３１を、前側留板９１の前側係止孔９１３に挿入する。
【００２４】
次に、図３（ｂ）に示すように、前側支持体１０、枠体３０、および後側支持体５０を重ねて組立体６０を形成する。そして、前側留板９１が固定された係止板９３を、組立体６０に貫通させる。そして、組立体６０の後側において、係止板９３を後側留板９５で固定する。具体的には、組立体６０から後側に突出する係止板９３の後側爪９３３を、後側留板９５の後側係止孔９５３に挿入して固定する。このことにより、前側留板９１と後側留板９５との間において、組立体６０が挟まれて固定される。
【００２５】
次に、図３（ｃ）に示すように、組立体６０を底部支持体７０に挿入し固定する。その結果、組立体６０が自立することが可能となる。なお、図２（ａ）および（ｂ）に示すように、前側支持体１０の前側突起１０１は、底部貫通孔７０１の第１領域７１１に挿入される。また、枠体３０の枠体突起３０１は、底部貫通孔７０１の第２領域７３１に挿入される。また、後側支持体５０の後側突起５０１は、底部貫通孔７０１の第３領域７５１に挿入される。
【００２６】
＜留め具９０による固定＞
図４は、留め具９０による固定の説明図である。
次に、図４を参照しながら、留め具９０による固定について具体的に説明をする。
【００２７】
図４に示すように、留め具９０は、前側支持体１０の前側貫通孔１０３と、枠体３０の枠体貫通孔３０３と、後側支持体５０の後側貫通孔５０３とに挿入された係止板９３によって、組立体６０を構成する前側支持体１０と、枠体３０と、後側支持体５０の上下方向および幅方向における相対位置が変化することを抑制する。
【００２８】
また、係止板９３の前側に設けられた前側爪９３１が、前側支持体１０から前側に突出した配置となり、その突出した前側爪９３１が、前側留板９１の前側係止孔９１３に挿入される。同様に、係止板９３の後側爪９３３は、後側支持体５０から後側に向けて突出した配置となり、突出した後側爪９３３は、後側留板９５の後側係止孔９５３に挿入される。このように、前側留板９１および後側留板９５により組立体６０を挟み込むことにより、組立体６０の奥行方向における移動が制限される。その結果、組立体６０を構成する前側支持体１０、枠体３０、および後側支持体５０の奥行方向における相対位置が変化することが抑制される。
【００２９】
また、上記で説明したように組立体６０は、底部貫通孔７０１に前側突起１０１、枠体突起３０１、後側突起５０１を挿入することによっても固定される。さらに説明をすると、図示の例においては、組立体６０の上側を留め具９０で固定し、組立体６０の下側を底部支持体７０で固定する。このように、組立体６０を上側および下側の２箇所において固定することで、組立体６０がより確実に固定される。
【００３０】
また、留め具９０においては、組立体６０（前側支持体１０）の前側に、別部材である前側留板９１を１層（１枚）重ねて固定がなされる。この前側留板９１に印刷で装飾を施すことにより、装飾体１全体において奥行のある装飾を実現することが可能となる。
【００３１】
＜変形例＞
図５は、変形例における留め具９００の概略構成図である。
留め具９０の構成は、組立体６０を奥行方向両側から挟み固定するものであれば、特に限定されない。例えば、図５に示す留め具９００のように、前側留板１９１と、係止板１９３と、後側留板１９５とを有する構成としてもよい。この前側留板１９１は、前側係止孔９１３を有するとともに、板面にキャラクタ画像９１７が形成されている。このキャラクタ画像９１７が、前側支持体１０よりも前側に配置されることで、より立体感のある装飾を実現可能となる。また、後側留板１９５は、リボン画像９５７などの装飾が形成されている。このことにより、装飾体１を後側から見た際の装飾性を向上させ得る。
【００３２】
＜他の変形例＞
さて、上記の説明においては、前側支持体１０、枠体３０、および後側支持体５０の３層を重ねて、留め具９０により固定することを説明したが、前側支持体１０、枠体３０、および後側支持体５０以外の部材を重ね、留め具９０によって固定してもよい。例えば、前側支持体１０および枠体３０の間に別の板部材を挟み込み、前側支持体１０、枠体３０、別の板部材、および後側支持体５０の４層を重ねて、留め具９０により固定してもよい。また、前側支持体１０、枠体３０、および後側支持体５０のいずれかを除いた２層を重ねて、留め具９０により固定する構成であってもよい。例えば、前側支持体１０および後側支持体５０を重ねて留め具９０により固定する構成であってもよい。
【００３３】
また、上記の説明においては、前側留板９１、係止板９３、および後側留板９５が板状部材であることを説明したが、これに限定されない。例えば、前側留板９１および後側留板９５は、組立体６０を両側から固定することができれば、球状、半球状、立方体状、円錐状、多角錐状など、他の形状であってもよい。また、係止板９３は、組立体６０を貫通して配置することが可能であれば、円柱状や多角柱状など、他の形状であってもよい。
【００３４】
また、上記の説明においては、前側留板９１、係止板９３、および後側留板９５の固定を、係止板９３の前側爪９３１を、前側留板９１の前側係止孔９１３に挿入することなどにより行うことを説明したが、これに限定されない。例えば、前側留板９１、係止板９３、および後側留板９５の各々に磁石を設け、磁力により互いの固定を行ってもよい。
【００３５】
また、上記の説明においては、装飾体１の内部にアクリルグッズを収容することを説明したが、これに限定されない。例えば、装飾体１の内部に、写真、ワッペン、絵画などを収容してもよい。付言すると、装飾体１は額縁あるいは飾り台として用いられてもよい。
【００３６】
なお、上記では種々の実施形態および変形例を説明したが、これらの実施形態や変形例同士を組み合わせて構成してももちろんよい。
また、本開示は上記の実施形態に何ら限定されるものではなく、本開示の要旨を逸脱しない範囲で種々の形態で実施することができる。
【００３７】
前側支持体１０は、第１板状部材の一例である。枠体３０は、枠部材の一例である。後側支持体５０は、第２板状部材の一例である。係止板９３は、貫通部材の一例である。前側留板９１および後側留板９５は、挟み部材の一例である。前側留板９１は、第１挟み部材の一例である。後側留板９５は、第２挟み部材の一例である。底部支持体７０は、支持体の一例である。前側爪９３１は、第１突起の一例である。後側爪９３３は、第２突起の一例である。前側係止孔９１３は、第１貫通孔の一例である。後側係止孔９５３は、第２貫通孔の一例である。
【符号の説明】
【００３８】
１…装飾体、１０…前側支持体、３０…枠体、５０…後側支持体、７０…底部支持体、９０…留め具、９１…前側留板、９３…係止板、９５…後側留板
【図１】
0003228751.tif 000003
【図２】
0003228751.tif 000004
【図３】
0003228751.tif 000005
【図４】
0003228751.tif 000006
【図５】
0003228751.tif 000007